(57)【要約】      （修正有）【課題】ユーザに与える無機質感を和らげることができる害虫駆除器を提供する。【解決手段】害虫駆除器Ｋは、本体１と、害虫忌避剤及び／又は殺虫剤を収納した収納体と、この収納体を本体１の底面に着脱自在に取り付けるものである。本体１は、虫かご又は鳥かごを模したもの又は本体１に飾りを設けたものであり、本体１を吊るすための係止具４が取り付けられている。【選択図】図１
0003230495.tif 000002
【実用新案登録請求の範囲】
【請求項１】
本体と、
害虫忌避剤及び／又は殺虫剤を収納した収納体と、
この収納体を前記本体の底面に着脱自在に取り付ける
ことを特徴とする害虫駆除器。
【請求項２】
本体は、虫かご又は鳥かごを模したもの又は室内装飾体である
ことを特徴とする請求項１記載の害虫駆除器。
【請求項３】
本体は、虫かご又は鳥かごを模したもの又は前記本体に飾りを設けたものであり、
前記本体を吊るすための係止具が取り付けられている
ことを特徴とする請求項１記載の害虫駆除器。
【請求項４】
本体の外周及び前記本体の底面は、通気性を有し、
前記本体の底面に取り付けられた収納体と前記本体の載置面との間に間隙が設けられている
ことを特徴とする請求項１又は請求項２記載の害虫駆除器。
【請求項５】
本体は、虫かごを模したものであり、
前記虫かご内には、ホタルを模したホタル体が位置し、
前記ホタル体に点滅するＬＥＤが設けられている
ことを特徴とする請求項１〜４のいずれかに記載の害虫駆除器。
【請求項６】
本体内には鳴き声を発する動物を模したものが位置し、
前記本体に前記動物の鳴き声を発する音発生手段が設けられている
ことを特徴とする請求項１〜４のいずれかに記載の害虫駆除器。
【請求項７】
本体は、玄関の棚の上に置かれている
ことを特徴とする請求項１又は請求項２又は請求項４又は請求項５記載の害虫駆除器。
【考案の詳細な説明】
【技術分野】
【０００１】
本考案は、害虫駆除器に係り、特に、ユーザに与える無機質感を和らげることができる害虫駆除器に関する。
【背景技術】
【０００２】
従来、窓の周囲における多様な場所または対象に薬剤揮散容器を容易に吊下げることができる吊り下げ具がある（特許文献）。
【先行技術文献】
【特許文献】
【０００３】
【特許文献１】特開2018-102275
【考案の概要】
【考案が解決しようとする課題】
【０００４】
しかしながら、上記薬剤揮散容器を吊下げると、機能的すぎて、ユーザに無機質感を与えるという問題点が生じた。
【０００５】
本考案は、上記の問題点を考慮してなされた害虫駆除器を提供することにある。
【課題を解決するための手段】
【０００６】
請求項１記載の害虫駆除器は、本体と、害虫忌避剤及び／又は殺虫剤を収納した収納体と、この収納体を前記本体の底面に着脱自在に取り付けるものである。
【０００７】
また、請求項２記載の害虫駆除器は、請求項１記載の害虫駆除器において、本体は、虫かご又は鳥かごを模したもの又は室内装飾体である。
【０００８】
また、請求項３記載の害虫駆除器は、請求項１記載の害虫駆除器において、本体は、虫かご又は鳥かごを模したもの又は前記本体に飾りを設けたものであり、前記本体を吊るすための係止具が取り付けられているものである。
【０００９】
また、請求項４記載の害虫駆除器は、請求項１又は請求項２記載の害虫駆除器に記載の柄支持具において、本体の外周及び前記本体の底面は、通気性を有し、前記本体の底面に取り付けられた収納体と前記本体の載置面との間に間隙が設けられているものである。
【００１０】
また、請求項５記載の害虫駆除器は、請求項１〜４のいずれかに記載の害虫駆除器において、本体は、虫かごを模したものであり、前記虫かご内には、ホタルを模したホタル体が位置し、前記ホタル体に点滅するＬＥＤが設けられているものである。
【００１１】
また、請求項６記載の害虫駆除器は、請求項１〜４のいずれかに記載の害虫駆除器におぴて、本体内には鳴き声を発する動物を模したものが位置し、前記本体に前記動物の鳴き声を発する音発生手段が設けられているものである。
【００１２】
また、請求項７記載の害虫駆除器は、請求項１又は請求項２又は請求項４又は請求項５記載の害虫駆除器において、本体は、玄関の棚の上に置かれているものである。
【考案の効果】
【００１３】
請求項１記載の害虫駆除器によれば、害虫忌避剤及び／又は殺虫剤を収納した収納体を、ベランダ、軒下、屋内の窓際に、吊るしている従来のものに比べ、害虫忌避剤及び／又は殺虫剤を収納した収納体を本体の底面に着脱自在に取り付けるため、害虫忌避剤及び／又は殺虫剤を収納した収納体を見えにくいようにして、ユーザに与える無機質感を和らげながら、害虫を忌避することができる。
【００１４】
また、請求項２記載の害虫駆除器によれば、害虫忌避剤及び／又は殺虫剤を収納した収納体を、ベランダ、軒下、屋内の窓際に、吊るしている従来のものに比べ、害虫忌避剤及び／又は殺虫剤を収納した収納体を本体の底面に着脱自在に取り付け、しかも、本体は、虫かご又は鳥かごを模したもの又は室内装飾体であるため、害虫忌避剤及び／又は殺虫剤を収納した収納体を見えにくいようにすると共に、本体は、虫かご又は鳥かごを模したもの又は室内装飾体であるため、ユーザに与える無機質感を更に和らげながら、害虫を忌避することができる。
【００１５】
また、請求項３記載の害虫駆除器によれば、害虫忌避剤及び／又は殺虫剤を収納した収納体を、ベランダ、軒下、屋内の窓際に、吊るしている従来のものに比べ、害虫忌避剤及び／又は殺虫剤を収納した収納体を本体の底面に着脱自在に取り付け、しかも、本体は、虫かご又は鳥かごを模したもの又は室内装飾体であるため、害虫忌避剤及び／又は殺虫剤を収納した収納体を本体を構成する一部として注目されないようにすると共に、本体は、虫かご又は鳥かごを模したもの又は前記本体に飾りを設けたものであるため、ユーザに与える無機質感を更に和らげながら、害虫を忌避することができ、本体を係止具を介して図示しない被係止具に係止すれば、収納体に収納した害虫忌避剤及び／又は殺虫剤の効果を本体の下方に及ぼすことができる。
【００１６】
また、請求項４記載の害虫駆除器によれば、上述した請求項１又は請求項２記載の考案の効果に加え、本体の外周及び前記本体の底面は、通気性を有し、前記本体の底面に取り付けられた収納体と前記本体の載置面との間に間隙が設けられているため、収納体に収納した害虫忌避剤及び／又は殺虫剤の効果を本体の周囲に及ぼすことができる。
【００１７】
また、請求項５記載の害虫駆除器によれば、上述した請求項１〜４のいずれかに記載の考案の効果に加え、本体は、虫かごを模したものであり、前記虫かご内には、ホタルを模したホタル体が位置し、前記ホタル体に点滅するＬＥＤが設けられているため、ユーザに与える無機質感を更に和らげながら、害虫を忌避することができる。
【００１８】
また、請求項６記載の害虫駆除器によれば、上述した請求項１又は請求項２又は請求項４又は請求項５記載の考案の効果に加え 本体内には鳴き声を発する動物を模したものが位置し、前記本体に前記動物の鳴き声を発する音発生手段が設けられているため、ユーザに与える無機質感を更に和らげながら、害虫を忌避することができる。
【００１９】
また、請求項７記載の害虫駆除器によれば、上述した請求項１〜６のいずれかに記載の考案の効果に加え 本体は、玄関の棚の上に置かれているため、ユーザに与える無機質感を更に和らげながら、害虫を忌避することができる。
【図面の簡単な説明】
【００２０】
【図１】図１は、本考案の一実施例の害虫駆除器を撮影した写真である。
【図２】図２は、図１の害虫駆除器の概略的正面図である。
【図３】図３は、図２の概略的断面図である。
【図４】図４は、図３の収納体（収納体内の害虫忌避剤及び／又は殺虫剤は、省略している）を取り外した図２の概略的底面図である。
【図５】図５は、図１、図３の本体の底面に取り付けられる収納体（収納体内の害虫忌避剤及び／又は殺虫剤は、省略している）を示す３Ｄ画像である。
【図６】図６は、図５の収納体（収納体内の害虫忌避剤及び／又は殺虫剤は、省略している）を分離させた状態を示す３Ｄ画像である。
【考案を実施するための形態】
【００２１】
本考案の一実施例の害虫駆除器を図１乃至図６を参照して説明する。
【００２２】
図１に示すＫは害虫駆除器で、害虫駆除器Ｋは、ユスリカ、チョウバエ等の害虫の害虫の侵入を阻止するもので、本体１と、害虫忌避剤及び／又は殺虫剤を収納した収納体２とを有している。
この収納体２は、本体１の底面に着脱自在に取り付けられるようになっている。
【００２３】
収納体２は、図５、図６に示すように、分離できるように、例えば、２分割になっていて、収納体２の枠体２１、２２内に図示しない害虫忌避剤及び／又は殺虫剤を収納するようになっている。
なお、本願考案にあっては、図５、図６に示す枠体２１，２２を使用せず、包装された害虫忌避剤及び／又は殺虫剤を直接本体１の底面（図４参照）にテープ等を介して着脱自在に取り付けるようにしても良い。
【００２４】
上述した害虫駆除器Ｋによれば、害虫忌避剤及び／又は殺虫剤を収納した収納体２を、ベランダ、軒下、屋内の窓際に、吊るしている従来のものに比べ、害虫忌避剤及び／又は殺虫剤を収納した収納体Ｋを本体１の底面に着脱自在に取り付けるため、害虫忌避剤及び／又は殺虫剤を収納した収納体２を見えにくいようにして、ユーザに与える無機質感を和らげながら、ユスリカ、チョウバエ等の害虫を忌避することができる。
【００２５】
また、図１、図３に示すように、本体１の外周及び本体１の底面（図４参照）は、通気性を有し、本体１の底面に取り付けられた収納体２と本体１の載置面３との間に間隙が設けられている。
そのため、収納体２に収納した害虫忌避剤及び／又は殺虫剤の効果を本体１の周囲に及ぼすことができる。
【００２６】
また、本体１は、例えば、図１に示すように、虫かごを模したもの［又は鳥かごを模したもの又は室内装飾体（例えば、図示しないが、地球儀）］である。
本体１が、虫かご又は鳥かごを模したもの又は室内装飾体であるとユーザに与える無機質感を更に和らげながら、害虫を忌避することができる。
【００２７】
また、図１に示す４は、本体１を、例えば、図示しない物干し竿に吊るすための係止具（例えば、紐紐）である。
本体１を係止具４を介して図示しない被係止具（図示しない物干し竿）に係止すれば、本体１は、虫かご又は鳥かごを模したもの又は前記本体に飾りを設けたものであるため、ユーザに与える無機質感を更に和らげながら、収納体２に収納した害虫忌避剤及び／又は殺虫剤の効果を本体１の下方に及ぼし、害虫を忌避することができる。
【００２８】
特に、図１に示すように、本体１は、虫かごを模したものであり、虫かご１内には、ホタルを模したホタル体５が位置し、ホタル体５に点滅するＬＥＤ６が設けられている。
７は、ＬＥＤ６の点滅を制御するＬＥＤユニットであり、８は、電池である。
【００２９】
また、図示しないが、本体１内には鳴き声を発する動物（例えば、虫にあっては、鈴虫、鳥にあって、うぐいす等）を模したものが位置し、本体１に前記動物の鳴き声を発する音発生手段（図示せず）が設けられている。
例えば、電池による電源とマイクロスピーカー等の音発生手段が通電されると、前記動物の鳴き声が発せられるようになっている。
【００３０】
なお、本体１は、例えば、玄関の棚（図示せず）の上等に置かれている。
【符号の説明】
【００３１】
Ｋ      害虫駆除器
１      本体
２      収納体
３      載置面
４      係止具（例えば、紐）
５      ホタル体
６      ＬＥＤ
７      ＬＥＤユニット
８      電池
２１    枠体
２２    枠体
【図１】
0003230495.tif 000003
【図２】
0003230495.tif 000004
【図３】
0003230495.tif 000005
【図４】
0003230495.tif 000006
【図５】
0003230495.tif 000007
【図６】
0003230495.tif 000008
【手続補正書】
【提出日】令和2年11月20日(2020.11.20)
【手続補正１】
【補正対象書類名】実用新案登録請求の範囲
【補正対象項目名】全文
【補正方法】変更
【補正の内容】
【実用新案登録請求の範囲】
【請求項１】
本体と、
害虫忌避剤及び／又は殺虫剤を収納した収納体と、
この収納体を前記本体の底面に着脱自在に取り付ける
ことを特徴とする害虫駆除器。
【請求項２】
本体は、虫かご又は鳥かごを模したもの又は室内装飾体である
ことを特徴とする請求項１記載の害虫駆除器。
【請求項３】
本体は、虫かご又は鳥かごを模したもの又は前記本体に飾りを設けたものであり、
前記本体を吊るすための係止具が取り付けられている
ことを特徴とする請求項１記載の害虫駆除器。
【請求項４】
本体の外周及び前記本体の底面は、通気性を有し、
前記本体の底面に取り付けられた収納体と前記本体の載置面との間に間隙が設けられ
ている
ことを特徴とする請求項１又は請求項２記載の害虫駆除器。
【請求項５】
本体は、虫かごを模したものであり、
前記虫かご内には、ホタルを模したホタル体が位置し、
前記ホタル体に点滅するＬＥＤが設けられている
ことを特徴とする請求項１〜４のいずれかに記載の害虫駆除器。
【請求項６】
本体内には鳴き声を発する動物を模したものが位置し、
前記本体に前記動物の鳴き声を発する音発生手段が設けられている
ことを特徴とする請求項１〜４のいずれかに記載の害虫駆除器。
【手続補正２】
【補正対象書類名】明細書
【補正対象項目名】００１２
【補正方法】削除
【補正の内容】
【手続補正３】
【補正対象書類名】明細書
【補正対象項目名】００１９
【補正方法】削除
【補正の内容】